(57)【要約】【課題】杭の引抜作業を容易に行うことのできる杭の撤去方法を提供する。【解決手段】既存建物の地下部分１の解体を行った後、底版１０をはつって杭１１の杭頭を露出させる。次に、杭１１の杭頭に鋼管２０を継ぎ足し、地下部分１を埋戻土３０で埋め戻す。その後、バックホウで鋼管２０の頂部を掘り出して露出させ、鋼管２０と杭１１の周囲にケーシングを挿入し、ケーシングを回転させながら埋戻土３０や底版１０下の地盤を掘削して杭１１や鋼管２０の周囲の縁を切る。そして、杭１１と鋼管２０を引抜き、撤去する。【選択図】図２
2019094742.tif 000002
【特許請求の範囲】
【請求項１】
地下部分から下方に延びる杭の杭頭に案内材を継ぎ足す工程と、
前記地下部分を埋戻土で埋戻す工程と、
前記案内材と前記杭の周囲にケーシングを挿入する工程と、
前記案内材および前記杭を撤去する工程と、
を有することを特徴とする杭の撤去方法。
【請求項２】
前記案内材の頂部は前記埋戻土の上端より若干低い位置にあり、
前記ケーシングを挿入する前に、前記案内材の頂部を掘り出して露出させることを特徴とする請求項１記載の杭の撤去方法。
【請求項３】
複数の杭の杭頭に、予め一体化した複数の前記案内材を継ぎ足すことを特徴とする請求項１または請求項２記載の杭の撤去方法。
【請求項４】
前記杭はコンクリート製の杭であり、前記案内材は管体であることを特徴とする請求項１から請求項３のいずれかに記載の杭の撤去方法。
【請求項５】
前記杭は鋼材であり、前記案内材は鋼材であることを特徴とする請求項１から請求項３のいずれかに記載の杭の撤去方法。
【発明の詳細な説明】
【技術分野】
【０００１】
本発明は、杭の撤去方法に関する。
【背景技術】
【０００２】
既存建物の地下部分の解体工事を行った後に同じ敷地に新設建物を建設する場合、既存建物の杭に関しては、新設する杭に干渉する部分についてのみ解体、撤去し、干渉しない部分は地中に残置するという方法がある。
【０００３】
その際、地下部分の解体が完了すると、工事用の機械が敷地内を走行できるように一度地下部分の埋戻しを行い、その後、撤去する杭について引抜きを行う。
【０００４】
通常、杭の撤去工事では、バックホウなどにより杭頭出しを行い、ケーシングを建て込んで杭の周囲を掘削（フリクションカット）した後ケーシングを引き上げ、杭にワイヤーをかけて杭を引抜く（例えば、特許文献１参照）。
【先行技術文献】
【特許文献】
【０００５】
【特許文献１】特開2017-166160号公報
【発明の概要】
【発明が解決しようとする課題】
【０００６】
しかしながら、前記の例では一度地下部分の埋戻しを行った後既存の杭を撤去するので、杭頭が地中深くにありバックホウによる杭頭出しが出来ない場合がある。この場合、撤去する杭にケーシングを合わせることが困難であり、杭の引抜きに時間を要していた。
【０００７】
本発明は上記の問題に鑑みてなされたものであり、杭の引抜作業を容易に行うことのできる杭の撤去方法を提供することを目的とする。
【課題を解決するための手段】
【０００８】
前述した課題を解決するための本発明は、地下部分から下方に延びる杭の杭頭に案内材を継ぎ足す工程と、前記地下部分を埋戻土で埋戻す工程と、前記案内材と前記杭の周囲にケーシングを挿入する工程と、前記案内材および前記杭を撤去する工程と、を有することを特徴とする杭の撤去方法である。
【０００９】
本発明では、埋戻しを行う前に既存の杭の杭頭に案内材を継ぎ足しておくことで、杭頭の位置が地中深くにある場合でも、案内材からケーシングを挿入することで杭にケーシングを合せることが容易になり、杭の引抜作業を容易に行うことができる。
【００１０】
前記案内材の頂部は前記埋戻土の上端より若干低い位置にあり、前記ケーシングを挿入する前に、前記案内材の頂部を掘り出して露出させることが望ましい。
このように、本発明ではバックホウ等で案内材の頂部を掘り出して露出させた後、これを目印としてケーシングを挿入することができる。案内材は、頂部を掘り出して容易に露出できるよう、その頂部を埋戻土の上端より若干低い位置にしておく。
【００１１】
複数の杭の杭頭に、予め一体化した複数の前記案内材を継ぎ足すことも望ましい。
これにより案内材の継ぎ足しにかかる時間を短縮することが可能である。
【００１２】
例えば前記杭はコンクリート製の杭であり、前記案内材は管体である。あるいは、前記杭は鋼材であり、前記案内材は鋼材であってもよい。
このように、杭がコンクリート製の場合には鋼管等の管体を案内材として好適に用いることができ、杭が構台杭等の鋼材によるものの場合には案内材として鋼材を用い、これを容易に杭に継ぎ足すことができる。
【発明の効果】
【００１３】
本発明により、杭の引抜作業を容易に行うことのできる杭の撤去方法を提供することができる。
【図面の簡単な説明】
【００１４】
【図１】杭の撤去方法を示す図。
【図２】杭の撤去方法を示す図。
【図３】杭の撤去方法を示す図。
【図４】杭の撤去方法を示す図。
【図５】杭の撤去方法を示す図。
【図６】鋼管２０の継ぎ足しについて説明する図。
【図７】鋼管ユニット２を示す図。
【図８】H形鋼２０ａの継ぎ足しについて説明する図。
【発明を実施するための形態】
【００１５】
以下、図面に基づいて本発明の好適な実施形態について詳細に説明する。
【００１６】
図１〜図５は本発明の実施形態に係る杭の撤去方法を示す図である。ここでは、図１（ａ）に示す既存建物の地下部分１を解体し、その後、既存建物の杭１１を撤去するものとする。杭１１は例えばPC(プレキャストコンクリート)杭や場所打ちコンクリート杭などのコンクリート製の杭であり、地下部分１から下方に延びるように設けられる。
【００１７】
本実施形態では、まず図１（ｂ）に示すように、既存建物の地下部分１の解体を行った後、底版１０をはつって杭１１の杭頭を露出させる。
【００１８】
次に、図２（ａ）に示すように杭１１の杭頭に鋼管２０（管体）を継ぎ足し、図２（ｂ）に示すように地下部分１を埋戻土３０で埋め戻して工事用の機械がその上を走行できるようにする。鋼管２０は杭１１の引抜時に用いる案内材である。
【００１９】
図６は鋼管２０の継ぎ足しについて説明する図である。本実施形態では図６（ａ）に示すように所定長さの鋼管２０をクレーン等（不図示）で吊り降ろし、図６（ｂ）に示すように鋼管２０の下端部を杭１１の杭頭に被せるようにして取付ける。
【００２０】
杭の引抜時には、図３（ａ）に示すようにバックホウ（不図示）で埋戻土３０を掘削し、鋼管２０の頂部を掘り出して掘削部４１に露出させる（頭出し）。鋼管２０の頂部の高さは埋戻土３０の上端より若干低い位置とし、鋼管２０の頂部を掘り出して容易に露出できるレベルとしておく。
【００２１】
そして、図３（ｂ）に示すようにクレーン等（不図示）から吊り下げたケーシング４２を鋼管２０と杭１１の周囲に挿入し、ケーシング４２を回転させながら埋戻土３０や底版１０下の地盤を掘削して杭１１や鋼管２０の周囲の縁を切る（フリクションカット）。
【００２２】
ケーシング４２は複数のケーシング部材４２ａを上下に継ぎ足しながら挿入され、ケーシング４２が回転するときに、一体となった杭１１および鋼管２０がともに回転することで、杭１１や鋼管２０と地盤や埋戻土３０との間の縁が切れていることが地表から目視で確認できる。
【００２３】
その後、ケーシング４２を引抜いて撤去するとともに、杭１１の杭頭にワイヤーを取付ける。ケーシング４２の最下部のケーシング部材４２ａには図４（ａ）に示すようにワイヤー５０を巻き回し、当該ケーシング部材４２ａを下降させ図４（ｂ）に示すようにワイヤー５０を杭１１の杭頭に移し替えた後撤去する。
【００２４】
その後、図５に示すようにクレーン等からワイヤー５０で杭１１と鋼管２０を吊り上げて引抜き、撤去する。前記のように鋼管２０等が回転することで杭１１や鋼管２０の周囲の縁が切れていることがわかるので、引抜時に過度な引抜力をかけるのを防ぐことができる。
【００２５】
以上の工程により杭１１の撤去が行われる。なお、杭１１の引抜き時に生じる孔１２は、流動化処理土や埋戻土３０などの埋戻材（不図示）で埋戻される。
【００２６】
以上説明したように、本実施形態では、埋戻しを行う前に既存の杭１１の杭頭に鋼管２０を継ぎ足しておくことで、杭頭の位置が地中深くにある場合でも、鋼管２０からケーシング４２を挿入することで、杭１１にケーシング４２を合せることが容易になり、杭１１の引抜作業を容易に行うことができる。
【００２７】
また、本実施形態ではバックホウ等で鋼管２０の頂部を掘り出して露出させた後、これを目印としてケーシング４２を挿入することができる。鋼管２０は、頂部を掘り出して容易に露出できるよう、その頂部を埋戻土３０の上端より若干低い位置にしておく。
【００２８】
また、本実施形態のように杭１１がPC杭等のコンクリート製の杭の場合には、鋼管２０等の管体を案内材として好適に用いることができる。
【００２９】
しかしながら、本発明はこれに限らない。例えば杭１１が複数ある場合には、これらの杭１１に一括して鋼管２０の継ぎ足しを行うため、図７に示すように複数の鋼管２０を杭１１の平面位置に合わせて予め一体化した鋼管ユニット２を用いてもよい。これらの鋼管２０は接続材２１によって一体化され、接続材２１は鋼管２０を各杭１１に継ぎ足した後に埋戻しながら取り外す。これにより鋼管２０の継ぎ足しにかかる時間の短縮が可能である。
【００３０】
また、杭は既存建物の構築時に底版１０下の地盤に残置された構台杭や棚杭であってもよい。構台杭や棚杭にはH形鋼等の鋼材が使用されるので、この場合は案内材として鋼材を継ぎ足せばよい。
【００３１】
これを示すのが図８であり、構台杭または棚杭としてH形鋼１１ａが用いられる場合に案内材をH形鋼２０ａとし、図８（ａ）に示すようにH形鋼２０ａの下端部に取付板２２を設けておく。そして、図８（ｂ）に示すように取付板２２とH形鋼１１ａの頂部をハイテンションボルト等で連結することで、H形鋼２０ａを容易にH形鋼１１ａに継ぎ足すことができる。この際、H形鋼１１ａの頂部にはボルトを通すための孔を空け、また必要に応じて頂部を切断し頂部が水平となるようにしておく。
【００３２】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００３３】
１：地下部分
２：鋼管ユニット
１０：底版
１１：杭
１２：孔
２０：鋼管
１１ａ、２０ａ：H形鋼
２１：接続材
２２：取付板
３０：埋戻土
４１：掘削部
４２：ケーシング
４２ａ：ケーシング部材
５０：ワイヤー
【図１】
2019094742.tif 000003
【図２】
2019094742.tif 000004
【図３】
2019094742.tif 000005
【図４】
2019094742.tif 000006
【図５】
2019094742.tif 000007
【図６】
2019094742.tif 000008
【図７】
2019094742.tif 000009
【図８】
2019094742.tif 000010